(57)【要約】【課題】本発明は、近所などで短い距離を走るあるいは僅かな走行時間を掛けるとしても、充分に運動でき容易に脚力練習の目標を達成することができる脚力練習兼用の自転車を提供することを目的とする。【解決手段】車輪に掛けるブレーキではなく他に、自転車の走行中に走行に対して持続的且つ弾性的な抵抗を加える抵抗機構が付設されていて、この抵抗機構が作動すると、前記持続的且つ弾性的な抵抗に対抗しながら走行することができることを特徴とする脚力練習兼用の自転車を提供する。【選択図】図１
2007290534.tif 000002
【特許請求の範囲】
【請求項１】
車輪に掛けるブレーキではなく他に、自転車の走行中に走行に対して持続的且つ弾性的な抵抗を加える抵抗機構が付設されていて、この抵抗機構が作動すると、前記持続的且つ弾性的な抵抗に対抗しながら走行することができることを特徴とする脚力練習兼用の自転車。
【請求項２】
前後２輪の少なくとも１輪に、ブレーキではなく他に、自転車の走行中に走行に対して持続的且つ弾性的な抵抗を加える抵抗機構が付設されていて、この抵抗機構が作動すると、前記持続的且つ弾性的な抵抗に対抗しながら走行することができる自転車であって、
前記抵抗機構として、その所属している車輪のハブとリムとの間に取付けられている複数のスポーク中の少なくとも一本が、羽根の形状に形成されていて、自転車の走行中に前記所属車輪に風力抵抗を与えることを特徴とする脚力練習兼用の自転車。
【請求項３】
前後２輪の少なくとも１輪に、ブレーキではなく他に、自転車の走行中に走行に対して持続的且つ弾性的な抵抗を加える抵抗機構が付設されていて、この抵抗機構が作動すると、前記持続的且つ弾性的な抵抗に対抗しながら走行することができる自転車であって、
前記抵抗機構として、その所属している車輪のハブと該ハブを両端から挟んで軸支しているフォークとの間にある、前記ハブの少なくとも一端と、前記フォークの前記一端と対応しているフォーク爪とにそれぞれ、互いに吸引できる一対の磁気力生起装置の一方が取付けられていて、自転車の走行中に前記所属車輪の回転に磁気力による抵抗を与えることを特徴とする脚力練習兼用の自転車。
【請求項４】
前記一対の磁気力生起装置の前記ハブに取付けられているものは、第１磁気装置として、前記ハブの一端に固定されていて前記ハブと共に回転できる取付座と、前記取付座の表面に固定されていて前記ハブ及び前記取付座と共に回転できる磁気手段とからなっており、
前記一対の磁気力生起装置の前記フォーク爪に取付けられているものは、第２磁気装置として、鉄材製のものであって、前記フォーク爪に固定されていて、自転車の走行中に前記ハブが前記所属車輪の回転と共に回転する時、前記磁気手段に吸引されて、前記ハブを介して前記所属の車輪の回転に磁気力による抵抗を与える被吸引体からなっていることを特徴とする請求項３に記載の脚力練習兼用の自転車。
【請求項５】
前後２輪の少なくとも１輪に、ブレーキではなく他に、自転車の走行中に走行に対して持続的且つ弾性的な抵抗を加える抵抗機構が付設されていて、この抵抗機構が作動すると、前記持続的且つ弾性的な抵抗に対抗しながら走行することができる自転車であって、
前記抵抗機構として、その所属している車輪のハブと該ハーブを両端から挟んで軸支しているフォークとの間にある、前記ハブの少なくとも一端と、前記フォークの前記一端と対応しているフォーク爪とにそれぞれ、互いに摩擦できる一対の摩擦力生起装置の一方が取付けられていて、自転車の走行中に前記所属車輪の回転に摩擦抵抗を与えることを特徴とする脚力練習兼用の自転車。
【請求項６】
前記一対の摩擦力生起装置の前記ハブの一端に取付けられているものは、第１摩擦装置として椀形のものからなっており、且つその周壁が前記フォーク爪の方に突出しており、
前記一対の摩擦力生起装置の前記フォーク爪に取付けられているものは、第２摩擦装置として、前記フォーク爪に固定されている取付座と、前記取付座に前記第１摩擦装置の椀形内に挿入されるように取付けられるとともに、操作によりバネの収縮力に抗し、前記第１摩擦装置の周壁の内面と接触するまで拡張できるように構成されていて、拡張されると前記所属車輪の回転に摩擦抵抗を与える一対の摩擦手段とからなり、前記一対の摩擦手段の間には前記バネが設けられていることを特徴とする請求項５に記載の脚力練習兼用の自転車。
【請求項７】
踏力を受けて後輪を駆動するための一対のクランク間のクランク軸に、車輪に掛けるブレーキではなく他に、自転車の走行中に走行に対して持続的且つ弾性的な抵抗を加える抵抗機構が付設されていて、この抵抗機構が作動すると、前記持続的且つ弾性的な抵抗に対抗しながら走行することができることを特徴とする自転車。
【請求項８】
踏力を受けて後輪を駆動するための一対のクランク間のクランク軸に、車輪に掛けるブレーキではなく他に、自転車の走行中に走行に対して持続的且つ弾性的な抵抗を加える抵抗機構が付設されていて、この抵抗機構が作動すると、前記持続的且つ弾性的な抵抗に対抗しながら走行することができる自転車であって、
前記抵抗機構として、前記クランク軸と、自転車の車体に固定されるとともに、前記クランク軸に挿通されていて該一対のクランクを保持しているボトムブラケットとにそれぞれ、互いに摩擦できる一対の摩擦力生起装置の一方が取付けられていて、自転車の走行中に前記クランク軸の回転に摩擦抵抗を与えることを特徴とする脚力練習兼用の自転車。
【請求項９】
前記一対の摩擦力生起装置の前記クランク軸の方に取付けられているものは、第１摩擦装置として、前記クランク軸の周りに固定されていて前記クランク軸と共に回転できる弾性材製の取付座と、前記取付座の周りに固定されていて前記クランク軸及び前記取付座と共に回転できる摩擦リングとからなっており、
前記一対の摩擦力生起装置の前記ボトムブラケットの方に取付けられているものは、第２摩擦装置として、前記ボトムブラケットの内周面に固定されていて前記一対のクランクが踏力を受けて回転し自転車を走行させる時、前記摩擦リングと摩擦し、前記クランク軸の回転に摩擦抵抗を与える摩擦パッドからなっていることを特徴とする請求項８に記載の脚力練習兼用の自転車。
【請求項１０】
踏力を受けて後輪を駆動するための一対のクランク間のクランク軸に、車輪に掛けるブレーキではなく他に、自転車の走行中に走行に対して持続的且つ弾性的な抵抗を加える抵抗機構が付設されていて、この抵抗機構が作動すると、前記持続的且つ弾性的な抵抗に対抗しながら走行することができる自転車であって、
前記抵抗機構として、前記クランク軸と、自転車の車体に固定されるとともに、前記クランク軸に挿通されていて該一対のクランクを保持しているボトムブラケットとにそれぞれ、互いに吸引できる一対の磁気吸引力生起装置の一方が設けられていて、自転車の走行中に前記クランク軸の回転に磁力による抵抗を与えることを特徴とする脚力練習兼用の自転車。
【請求項１１】
前記一対の磁気力生起装置の前記クランク軸の方に設けられているものは、第１磁気装置として、前記クランク軸の周りに固定されていて前記クランク軸と共に回転できる取付座と、前記取付座の周りに固定されていて前記クランク軸及び前記取付座と共に回転できる磁気手段とからなっており、
前記一対の磁気力生起装置の前記ボトムブラケットの方に設けられているものは、第２磁気装置として、鉄材製のものであって、前記一対のクランクが踏力を受けて回転し自転車を走行させる時、前記磁気手段に吸引されて前記クランク軸の回転に磁気力による抵抗を与える前記ボトムブラケットそれ自体からなっていることを特徴とする請求項１０に記載の脚力練習兼用の自転車。
【発明の詳細な説明】
【技術分野】
【０００１】
本発明は、自転車に関し、特に脚力練習兼用の自転車に関する。
【背景技術】
【０００２】
近年、健康増進やダイエットのために自転車に乗るのは、都会に住む人々の間で流行っている。こういう都会人にとっては、あまり忙しくてわざと郊外へ山道や林道を自転車で走る時間もないので、時々近所を自転車で走り回るようになっている。このように近所で自転車に乗る場合に、走行距離が短いばかりでなく高速で走るのもできないため、充分に運動できなく消費カロリーが少なくて体の鍛練、特に脚力練習に対し役に立てない。
【発明の開示】
【発明が解決しようとする課題】
【０００３】
本発明は、前記実況を鑑みてなされたものであり、近所などで短い距離を走るあるいは僅かな走行時間を掛けるとしても、充分に運動でき容易に脚力練習の目標を達成することができる脚力練習兼用の自転車を提供することを目的とする。
【課題を解決するための手段】
【０００４】
前記目的を達成するために、本発明は、車輪に掛けるブレーキではなく他に、自転車の走行中に走行に対して持続的且つ弾性的な抵抗を加える抵抗機構が付設されていて、この抵抗機構が作動すると、前記持続的且つ弾性的な抵抗に対抗しながら走行することができる脚力練習兼用の自転車を提供する。
【０００５】
前記「持続的」と言うのは、通常の自転車の手ブレーキのように抵抗力を手や脚の操作で一時的にかけて自転車をストップさせるのではなく、走行中の自転車に持続的な抵抗力をかけることを言う。
【０００６】
前記「弾性的」と言うのは、通常の自転車の手ブレーキのように自転車の走行力より大きい所定的な抵抗力をかけて自転車をストップさせるのではなく、走行中の自転車にある範囲内に弾性的に変化できる抵抗力をかけることを言う。
【０００７】
前記「弾性的に変化できる抵抗力」とは、構成材料や力の伝播媒体それ自体の弾性的偏圧によってなる抵抗力を言う。前者は、スプリングや他の弾性材料によるものが挙げられ、後者は空気を媒体とする抵抗力、例えば風力によるもの、及び、磁気を媒体とする抵抗力、即ち磁気力によるもの、などが挙げられる。
【０００８】
前記抵抗機構は、車輪や踏力を受けて車輪を駆動するクランクの軸に設置しても良く、車体に設置しても良いが、自転車の走行に持続的且つ弾性的な抵抗を掛けることができれば良い。
【０００９】
また、抵抗機構は取付け取外し容易なものはもちろん、固着式で容易に取外せないものも本発明の目的に合う。
【発明の効果】
【００１０】
前記脚力練習兼用の自転車の構造によると、ブレーキではなく他に、付設されている抵抗機構により、自転車の走行中に走行に対して持続的且つ弾性的な抵抗を加えることができるため、普通の自転車に比べて、例えば近所のスーパーへの短い距離を走るあるいは僅かな走行時間を掛けるだけで、充分に運動でき容易に脚力練習の目標を達成するができ、生活に忙しいユーザーにとってかなり便利である。
【発明を実施するための最良の形態】
【００１１】
本発明は、総体的に見ると、通常の自転車の構造に加えて、車輪に掛けるブレーキではなく他に、自転車の走行中に走行に対して持続的且つ弾性的な抵抗を加える抵抗機構が付設されていて、この抵抗機構が作動すると、前記持続的且つ弾性的な抵抗に対抗しながら走行することができる脚力練習兼用の自転車である。以下、図面を参照しつつ本発明の実施形態を具体的に説明する。
【００１２】
まず、本発明の第１実施形態の脚力練習兼用の自転車を説明する。図１は、本発明の第１実施形態の脚力練習兼用の自転車の側面図である。図２は、図１におけるＡ−Ａ線に沿う縦断面図である。
【００１３】
図１に示すように、第１実施形態の脚力練習兼用の自転車は、その後輪５１にブレーキの他に、自転車の走行中に走行に対して持続的且つ弾性的な抵抗を加える抵抗機構７０が付設されていて脚力練習できるものである。図２に示すように、この自転車における後輪５１のハブ５１１とリム５１２との間に取付けられている複数のスポーク７１はすべて羽根の形状に形成され前記抵抗機構７０となっているので、自転車の走行中に後輪５１に風力抵抗を与えることができる。なお、ここで抵抗機構７０は後輪５１に付設されているのを例示しているが、前輪に、または前後輪ともに抵抗機構が付設されてもよいことが容易に考えられる。
【００１４】
この実施形態では、自転車の後輪５１に対する抵抗として、圧縮性のある空気を媒体とする風力が使用されるため、自転車の走行中に、後輪５１は該圧縮性のある風力抵抗と対抗しながら回転することができるので、自転車は走行できるばかりでなく、脚力の練習に供することもできる。
【００１５】
次に、本発明の第２実施形態の脚力練習兼用の自転車を説明する。図３は、本発明の第２実施形態の脚力練習兼用の自転車の後輪部分の縦断面図である。
【００１６】
第２実施形態の脚力練習兼用の自転車の構造は、前記第１実施形態のとほぼ同じだが、その相違点は、抵抗機構８０として、図３に示すように、その所属している後輪５１のハブ５１１と該ハーブ５１１を両端から挟んで軸支している車体１０のフォーク１１との間にあるハブ５１１の一端５１１ａと、フォーク１１の前記一端５１１ａと対応しているフォーク爪１１１とにそれぞれ、互いに吸引できる一対の磁気力生起装置８１の一方が取付けられていて、自転車の走行中に後輪５１の回転に磁気力による抵抗を与えることにある。
【００１７】
この実施形態において、一対の磁気力生起装置８１のハブ５１１の方に取付けられているものは、第１磁気装置として、ハブ５１１の一端５１１ａに固定されていてハブ５１１と共に回転できる取付座８１１と、取付座８１１の表面に固定されていてハブ５１１及び取付座８１１と共に回転できる磁気手段８１２とからなっている。
【００１８】
また、一対の磁気力生起装置８１のフォーク爪１１１の方に取付けられているものは、第２磁気装置として、鉄材製のものであって、フォーク爪１１１に固定されていて自転車の走行中にハブ５１１が後輪５１の回転と共に回転する時、磁気手段８１２に吸引されてハブ５１１を介して後輪５１の回転に磁気力による抵抗を与える被吸引体８１３からなっている。
【００１９】
この実施形態では、自転車の後輪５１に対する抵抗として、圧縮性のある磁気を媒体とする磁気力が使用されるため、自転車の走行中に、後輪５１は該圧縮性のある磁気力抵抗と対抗しながら回転することができるので、自転車は走行できるばかりでなく、脚力の練習に供することもできる。
【００２０】
次に、本発明の第３実施形態の脚力練習兼用の自転車を説明する。
【００２１】
図４は、本発明の第３実施形態の脚力練習兼用の自転車の後輪部分の縦断面図である。図５は、図４におけるＢ−Ｂ線に沿う断面図であり、第３実施形態の脚力練習兼用の自転車における一対の摩擦手段が拡張していない常時位置にある状態を示す。図６は、同じく図４におけるＢ−Ｂ線に沿う断面図であり、第３実施形態の脚力練習兼用の自転車における一対の摩擦手段がバネの収縮力に抗し、第１摩擦装置と接触するように拡張した状態を示す。
【００２２】
第３実施形態の脚力練習兼用の自転車の構造は、前記第２実施形態のとほぼ同じだが、その相違点は、抵抗機構９０として、図４に示すように、その所属している後輪５１のハブ５１１とフォーク１１との間にあるハブ５１１の一端５１１ａと、フォーク１１の前記一端５１１ａと対応しているフォーク爪１１１とにそれぞれ、互いに摩擦できる一対の摩擦力生起装置９１の一方が取付けられていて、自転車の走行中に後輪５１の回転に摩擦抵抗を与えることにある。
【００２３】
この実施形態において、一対の摩擦力生起装置９１のハブ５１１の一端５１１ａに取付けられているものは、第１摩擦装置９１１として椀形のものからなっており、且つその周壁９１２がフォーク爪１１１の方に突出している。また、一対の摩擦力生起装置９１のフォーク爪１１１に取付けられているものは、第２摩擦装置として、フォーク爪１１１に固定されている取付座９１３と、取付座９１３に第１摩擦装置９１１の椀形内に挿入されるように取付けられている一対の摩擦手段９１５、９１５とからなっている。
【００２４】
一対の摩擦手段９１５、９１５は、その間にバネ９１４がついており、常時図５に示すような位置にあり、且つ操作によりバネ９１４の収縮力に抗し、図６に示すように第１摩擦装置９１１の周壁９１２の内面９１２ａと接触するまで拡張できるように構成されているので、操作によって拡張されると後輪５１の回転に摩擦抵抗を与えることができる。  
また、取付座９１３には、カム機構９１６が一対の摩擦手段９１５、９１５を周壁９１２の内面９１２ａと接触するように押し付けて拡張させ、そして常時の位置に戻すサイクルを行なうことができるように枢支されている。該カム機構９１６は、それに設けられ自転車のハンドルに延伸していてユーザの引張り、釈放の操作により制御される調節索９１７に連動して前記サイクルを行うように構成されている。
【００２５】
この実施形態では、自転車の後輪５１に対する抵抗として、バネ付きの摩擦装置による摩擦力が使用されるため、自転車の走行中に、後輪５１はバネによる圧縮性のある摩擦抵抗と対抗しながら回転することができるので、自転車は走行できるばかりでなく、脚力の練習に供することもできる。
【００２６】
続いて、本発明の第４実施形態の脚力練習兼用の自転車を説明する。図７は、本発明の第４実施形態の脚力練習兼用の自転車の側面図である。図８は、図７におけるＣ−Ｃ線に沿う断面図である。図９は、図８におけるＤ−Ｄ線に沿う断面図である。
【００２７】
図７及び図８に示すように、第４実施形態の脚力練習兼用の自転車は、踏力を受けてその後輪５１を駆動するための一対のクランク６４、６４間のクランク軸６５に、車輪に掛けるブレーキではなく他に、自転車の走行中に走行に対して抵抗を加える抵抗機構１４０が付設されていて脚力練習できるものである。また、抵抗機構１４０として、クランク軸６５と、自転車の車体１０に固定されるとともに、クランク軸６５に挿通されていて該一対のクランク６４、６４を保持しているボトムブラケット１７とにそれぞれ、互いに摩擦できる一対の摩擦力生起装置１４１の一方が取付けられていて、自転車の走行中にクランク軸６５の回転に摩擦抵抗を与える。
【００２８】
この実施形態において、図８と図９に示すように、一対の摩擦力生起装置１４１のクランク軸６５の方に取付けられているものは、第１摩擦装置として、クランク軸６５の周りに固定されていてクランク軸６５と共に回転できる取付座１４２と、取付座１４２の周りに固定されていてクランク軸６５及び取付座１４２と共に回転できる摩擦リング１４３とからなっている。一対の摩擦力生起装置１４１のボトムブラケット１７の方に取付けられているものは、第２摩擦装置として、ボトムブラケット１７の内周面１７ａに固定されていて一対のクランク６４、６４が踏力を受けて回転し自転車を走行させる時、摩擦リング１４３と摩擦し、クランク軸６５の回転に摩擦抵抗を与える摩擦パッド１４４からなっている。
【００２９】
取付座１４２は、弾性材製のもの例えば弾性の良いゴム材からなっているので、摩擦リング１４３と摩擦パッド１４４との間の摩擦抵抗力に変化性を与え弾性のあるものになさせることができる。
【００３０】
この実施形態では、自転車のクランク軸６５に対する抵抗として、弾性のある摩擦力が使用されるため、自転車の走行中に、クランク軸６５は該弾性のある摩擦抵抗と対抗しながら回転することができるので、自転車は走行できるばかりでなく、脚力の練習に供することもできる。
【００３１】
次に、本発明の第５実施形態の脚力練習兼用の自転車を説明する。図１０は、本発明の第５実施形態の脚力練習兼用の自転車のクランク及びクランク軸の縦断面図である。図１１は、図１０におけるＥ−Ｅ線に沿う断面図である。
【００３２】
第５実施形態の脚力練習兼用の自転車の構造は、第４実施形態のとほぼ同じだが、その相違点は、抵抗機構１５０として、クランク軸６５と、自転車の車体１０に固定されるとともに、クランク軸６５に挿通されていて該一対のクランク６４、６４を保持しているボトムブラケット１７とにそれぞれ、互いに吸引できる一対の磁気力生起装置１５１の一方が設けられていて自転車の走行中にクランク軸６５の回転に磁気力による抵抗を与えることにある。
【００３３】
この実施形態において、一対の磁気力生起装置１５１のクランク軸６５の方に設けられているものは、第１磁気装置として、クランク軸６５の周りに固定されていてクランク軸６５と共に回転できる取付座１５２と、取付座１５２の周りに固定されていてクランク軸６５及び取付座１５２と共に回転できる磁気手段１５３とからなっている。また、一対の磁気力生起装置１５１のボトムブラケット１７の方に設けられているものは、第２磁気装置として、鉄材製のものであって、一対のクランク６４、６４が踏力を受けて回転し、自転車を走行させる時、磁気手段１５３に吸引されてクランク軸６５の回転に磁気力による抵抗を与えるボトムブラケット１７それ自体からなっている。
【００３４】
この実施形態では、自転車のクランク軸６５に対する抵抗として、圧縮性のある磁気を媒体とする磁気力が使用されるため、自転車の走行中に、クランク軸６５は該圧縮性のある磁気力抵抗と対抗しながら回転することができるので、自転車は走行できるばかりでなく、脚力の練習に供することもできる。
【００３５】
叙上のように、本発明の自転車は、車輪に掛けるブレーキではなく他に、自転車の走行中に走行に対して持続的且つ弾性的な抵抗を加える抵抗機構が付設されているので、確かに、前記抵抗機構が作動すると、前記持続的且つ弾性的な抵抗に対抗しながら走行し、脚力練習兼用とされることができる。
【００３６】
なお、前記「持続的」と言うのは、通常の自転車の手ブレーキのように抵抗力を手や脚の操作で一時的にかけて自転車をストップさせるのではなく、走行中の自転車に持続的な抵抗力をかけることをいうが、「持続」をする機構が簡単であって従来の機構であるので、その詳細な説明を省く。
【００３７】
なおさら、本発明は前述実施形態に限定されるものではなく、本発明の要旨を逸脱しない範囲において種々の変形可能がある。
【産業上の利用可能性】
【００３８】
本発明の脚力練習兼用の自転車によれば、普通の自転車に比べて、例えば近所のスーパーへの短い距離を走るあるいは僅かな走行時間を掛けるだけで、充分に運動でき容易に脚力練習の目標を達成するができ、生活に忙しいユーザーにとってかなり便利である
【図面の簡単な説明】
【００３９】
【図１】本発明の第１実施形態の脚力練習兼用の自転車の側面図。
【図２】図１におけるＡ−Ａ線に沿う断面図。
【図３】本発明の第２実施形態の脚力練習兼用の自転車の後輪部分の縦断面図。
【図４】本発明の第３実施形態の脚力練習兼用の自転車の後輪部分の縦断面図。
【図５】図４におけるＢ−Ｂ線に沿う断面図であり、第３実施形態の脚力練習兼用の自転車における一対の摩擦手段が拡張していない常時位置にある状態を示す。
【図６】同じく図４におけるＢ−Ｂ線に沿う断面図であり、第３実施形態の脚力練習兼用の自転車における一対の摩擦手段がバネの収縮力に抗し、第１摩擦装置と接触するように拡張した状態を示す。
【図７】本発明の第４実施形態の脚力練習兼用の自転車の側面図。
【図８】図７におけるＣ−Ｃ線に沿う断面図。
【図９】図８におけるＤ−Ｄ線に沿う断面図。
【図１０】本発明の第５実施形態の脚力練習兼用の自転車のクランク及びクランク軸の縦断面図。
【図１１】図１０におけるＥ−Ｅ線に沿う断面図。
【符号の説明】
【００４０】
１０      車体
１１      フォーク
１１１    フォーク爪
１７      ボトムブラケット
１７ａ   （ボトムブラケットの）内周面
５１      後輪
５１１    ハブ
５１１ａ （ハブの）一端
５１２    リム
６４      クランク
６５      クランク軸
７０      抵抗機構
７１      スポーク
８０      抵抗機構
８１      磁気力生起装置
８１１    取付座
８１２    磁気手段
８１３    被吸引体
９０      抵抗機構
９１      摩擦力生起装置
９１１    第１摩擦装置
９１２    周壁
９１２ａ （周壁の）内面
９１３    取付座
９１４    バネ
９１５    摩擦手段
９１６    カム機構
９１７    調節索
１４０    抵抗機構
１４１    摩擦力生起装置
１４２    取付座
１４３    摩擦リング
１５０    抵抗機構
１５１    磁気吸引力生起装置
１５２    取付座
１５３    磁気手段
【図１】
2007290534.tif 000003
【図２】
2007290534.tif 000004
【図３】
2007290534.tif 000005
【図４】
2007290534.tif 000006
【図５】
2007290534.tif 000007
【図６】
2007290534.tif 000008
【図７】
2007290534.tif 000009
【図８】
2007290534.tif 000010
【図９】
2007290534.tif 000011
【図１０】
2007290534.tif 000012
【図１１】
2007290534.tif 000013